(57)【特許請求の範囲】
【請求項１】
伸縮可能な布よりなる基材と、該基材の一方の面に形成された粘着剤層と、該基材の他方の面に選択的に形成され該基材の伸縮を部分的に規制する伸縮調整材とを備え、
該伸縮調整材が、印刷により形成されていることを特徴とする機能性粘着テープ。
【請求項２】
前記伸縮調整材が硬質樹脂である請求項１記載の機能性粘着テープ。
【請求項３】
前記伸縮調整材がアクリル樹脂である請求項１又は２記載の機能性粘着テープ。
【請求項４】
前記伸縮調整材が着色してなる請求項１〜３のいずれか１項に記載の機能性粘着テープ。
【請求項５】
前記伸縮調整材を該粘着テープの長手方向に沿って波形に形成した請求項１〜４のいずれか１項に記載の機能性粘着テープ。
【請求項６】
前記伸縮調整材が延性の異なる複数の樹脂よりなる請求項１〜５のいずれか１項に記載の機能性粘着テープ。
【請求項７】
前記粘着剤層が、前記基材の一方の面の全面に形成されている請求項１〜６のいずれか１項に記載の機能性粘着テープ。
【請求項８】
外反母趾用である請求項１〜７のいずれか１項に記載の機能性粘着テープ。
【発明の詳細な説明】
【技術分野】
【０００１】
本発明は、機能性粘着テープ、特にスポーツ用の機能性粘着テープに関する。
【背景技術】
【０００２】
スポーツ用の粘着テープには、多種多様な機能と使用方法がある。近年、キネシオテープと呼ばれる、患部の治癒を助けるテーピング用のテープがある。キネシオテープは、筋肉と同じくらいの伸びを有していることに特徴がある。このキネシオテープは患部を固定するためのものではなく、筋肉の延伸方向に沿って貼る。このことにより、体内に隙間ができてリンパ液の流れがよくなり、このことで新陳代謝がよくなり、自然治癒力が高まる。したがって、けがや手術後の内出血を早く改善することができる。また、リンパ液だけでなく、血液の流れもよくなるため、疲労回復に役立つ。更に、スポーツの障害発生予防やリハビリに役立つとされている。
キネシオテープに関して、基材と粘着剤層とを備え、基材が、伸縮糸及び通常繊維を撚糸した径糸と、通常糸の緯糸からなる織布であり、粘着剤層が所定間隔を空けて並列した複条よりなる帯条であり、各条がテープの長手方向において左右にうねった形状を有するものがある（特許文献１）。
【先行技術文献】
【特許文献】
【０００３】
【特許文献１】特開平１０−３３７４１号公報
【発明の概要】
【発明が解決しようとする課題】
【０００４】
特許文献１に記載のテープは、粘着剤層が帯条であり、テープの長手方向において左右にうねった形状を有することから、筋肉の動きにあったテープの伸縮ができる。しかし、テープの伸縮についての機能性を付与するものではなかった。
【０００５】
本発明は、上記の問題を有利に解決するものであり、スポーツ等に用いられる粘着テープについて、テープの伸縮についての機能性を付与し、また、その機能性付与のため工程が容易であり、機能性の調整が容易な粘着テープを提供することを目的とする。
【課題を解決するための手段】
【０００６】
本発明の機能性粘着テープは、伸縮可能な布よりなる基材と、該基材の一方の面に形成された粘着剤層と、該基材の他方の面に選択的に形成され該基材の伸縮を部分的に規制する伸縮調整材とを備え、該伸縮調整材が、印刷により形成されていることを特徴とする。
本発明の機能性粘着テープは、該基材の他方の面に伸縮調整材が選択的に形成され、これにより基材の伸縮を部分的に規制する。このことにより、粘着テープの機能性を付与することができる。伸縮調整材は、具体的には硬質樹脂よりなり、この硬質樹脂の選択的な形成は、印刷により行うので、印刷パターンの変更により、機能性の調整を容易にすることができる。
【０００７】
また、本発明の機能性粘着テープは、前記伸縮調整材が硬質樹脂である態様、前記伸縮調整材がアクリル樹脂である態様、前記伸縮調整材が着色してなる態様、前記伸縮調整材を該粘着テープの長手方向に沿って波状に形成した態様、更に前記伸縮調整材が延性の異なる複数の樹脂よりなる態様、前記粘着剤層が、前記基材の一方の面の全面に形成されている態様、外反母趾用である態様とすることができる。
【発明の効果】
【０００８】
本発明の機能性粘着テープによれば、伸縮可能な布よりなる基材に選択的に形成された硬質樹脂がテープの伸縮についての機能性を付与する。硬質樹脂は印刷により形成できるので、その機能性付与のため工程が容易であり、機能性の調整が容易である粘着テープを提供することができる。
【図面の簡単な説明】
【０００９】
【図１】本発明の実施形態の機能性粘着テープの平面図である。
【図２】本発明の実施形態の機能性粘着テープの平面図である。
【図３】本発明の実施形態の機能性粘着テープの平面図である。
【図４】本発明の実施形態の機能性粘着テープの平面図である。
【発明を実施するための形態】
【００１０】
次に、本発明の実施の形態について、詳述する。
図１は、本発明の一実施形態の機能性粘着テープの例の平面図である。
【００１１】
図１（ａ）の機能性粘着テープ１は、布よりなる基材２を備えている。この基材２の裏面（図には表れない）には、粘着剤層３が基材２の全面にわたって形成されている。なお、図示しないが粘着剤層３を保護する剥離テープが粘着剤層３に密着して設けられている。
基材２の表面上に伸縮調整材４が、選択的に形成されている。伸縮調整材４は、具体的には硬質樹脂であり、図１（ａ）に示した例では、伸縮調整材４は条状であり、機能性粘着テープ１の長手方向に沿って波形に形成されている。
【００１２】
基材２は粘着剤層を支持する基材であって、スポーツ用粘着テープに用いられている基材を用いることができる。基材２は伸縮可能な布よりなる。これにより、身体の屈曲部や皮膚の伸縮に追従することができる。後述する伸縮調整材による基材の伸縮の調整の結果として機能性粘着テープ１の伸びが筋肉と同じくらいの伸びを有していることが好ましい。
【００１３】
基材２はスポーツ用粘着テープに用いられている材料の繊維からなる。例えば、ポリエステル、綿、レーヨン、ポリプロピレン、ポリエチレン、セルロース、ポリウレタン、ナイロン等の有機繊維の１種又は２種以上を用いることができる。これらの繊維の太さや、繊維を用いた織布又は編布の撚り、編み方についてはスポーツ用粘着テープに用いられているものを用いればよい。
【００１４】
粘着剤層３を構成する粘着剤の材料、粘着力は、スポーツ用粘着テープに用いられている材料を用いることができる。例えば、天然ゴム、合成ゴム、アクリル等の樹脂を用いることができる。粘着力が強すぎると皮膚に刺激を与えて、かぶれる恐れがあり、粘着力が弱すぎると機能性粘着テープとしての効果に乏しい。
【００１５】
粘着剤は、基材２に全面的に形成することができる。部分的に形成してもよいが形成工程が煩雑になる。本発明では、伸縮調整材４により機能性粘着テープ１の伸縮を調整しているので、粘着剤の選択的な形成により機能性粘着テープ１の伸縮を調整する必要がない。
【００１６】
伸縮調整材４は、硬質樹脂、具体的にはアクリル樹脂を用いることができる。アクリル樹脂等の硬質樹脂は、印刷によって基材２の表面に選択的に形成することができる。印刷は、伸縮調整材４を基材２の表面に選択的に形成する方法として、作業工程が容易であり、また、印刷パターンの変更により基材２の伸縮を容易に調整することができるので好ましい方法である。
【００１７】
図１（ａ）に示した機能性粘着テープ１は、伸縮調整材４が長手方向に沿って波形に形成されている。機能性粘着テープ１の長手方向の伸びが大きく規制され、短手方向の伸びは、それほど規制されない。このようにして伸縮調整材４は基材の伸びを調整することにより機能性粘着テープ１の伸縮を調整することができる。
【００１８】
また、図１（ａ）に示した機能性粘着テープ１は、機能性粘着テープ１の長手方向において、波形の伸縮調整材４が直線状に伸びようとする過程で、伸縮調整材４の弾性変形による伸びが生じる。この伸縮調整材４の弾性変形による伸びは、基材２自体の伸びとは異なる。このようにしての伸縮調整材４は、伸縮調整材４の基材２上でのパターニングにより機能性粘着テープ１の伸縮を調整することができる。すなわち、本発明は、伸縮調整材４のデザインそのものが機能を有する粘着テープを提供することができる。
【００１９】
上述した伸縮調整材４により機能性粘着テープ１の伸縮を調整する本実施形態の機能性粘着テープ１を身体に貼付することにより、機序は必ずしも明確ではないが、皮膚を持ち上げ、また皮膚に刺激を与えることができ、よってリンパ液の流れや血液の流れが良くなるものと考えられる。
【００２０】
伸縮調整材４は、着色することができる。着色することにより、意匠性に優れた機能性粘着テープ１とすることができる。着色は単色に限られない。複数色でもよいし、グラデーションにより色が徐々に変化するものであってもよい。
【００２１】
伸縮調整材４は、延性の異なる複数の樹脂により構成することできる。例えば一つの樹脂を硬質で伸びが小さいアクリル樹脂として、もう一つの樹脂を、アクリル樹脂よりも伸びが大きい、例えばシリコーン樹脂とすることができる。このような構成の伸縮調整材４は、樹脂ごとに印刷を繰り返することにより基材２上に形成することができる。
伸縮調整材４を、延性の異なる複数の樹脂により構成することにより、これらの樹脂の伸びの相違によっても機能性粘着テープ１の伸縮を調整することができる。延性の異なる複数の樹脂を用いる場合、３種以上の樹脂を用いてもよい。
【００２２】
伸縮調整材４の基材２上でのパターニング、換言すればデザインは、図１（ａ）に示したものに限られない。例えば、図１（ｂ）に示すパターニング、図２（ａ）、（ｂ）に示すパターニング、図３（ａ）〜（ｃ）に示すパターニング、図４に示すパターニングとすることができる。
【００２３】
図１（ｂ）に示す機能性粘着テープ１Ａは、伸縮調整材４のパターニングが、機能性粘着テープ１の長手方向に沿った条状の波形であり、隣り合う波形が逆位相になるものである。
図２（ａ）に示す機能性粘着テープ１Ｂは、伸縮調整材４のパターニングが、機能性粘着テープ１の長手方向に直線状に伸びる複数の条状である。
図２（ｂ）に示す機能性粘着テープ１Ｃは、伸縮調整材４のパターニングが、機能性粘着テープ１の長手方向の端部近傍に設けられた、長手方向に直線状に伸びる複数の太い条状である。伸縮調整材４を機能性粘着テープ１の長手方向の端部近傍のみに設けることにより、機能性粘着テープの長手方向中央部と端部とで伸びを異ならせることができる。
図３（ａ）に示す機能性粘着テープ１Ｄは、伸縮調整材４のパターニングが、線条により格子状に形成されたものである。格子は正四角形のものに限られず菱形であってもよい。菱形である場合には、伸縮調整材４を機能性粘着テープ１の長手方向と短手方向とで伸びが異なるので、かかる菱形の形状の伸びを調整することができる。
図３（ｂ）に示す機能性粘着テープ１Ｅは、伸縮調整材４のパターニングが、線条により亀甲状に形成されたものである。
図３（ｃ）に示す機能性粘着テープ１Ｆは、伸縮調整材４のパターニングが、六角形により機能性粘着テープ１の長手方向に複数個配列されたものである。
図４に示す機能性粘着テープ１Ｇは、伸縮調整材４のパターニングが長方形であり、機能性粘着テープ１の幅方向中央部に、長手方向の全長にわたって形成されたものである。この機能性粘着テープ１Ｇは、外反母趾の予防や改善に役立てることができる。具体的に説明すると、機能性粘着テープ１Ｇの伸縮調整材４は、伸縮が規制されている領域であるため、伸縮調整材４の長手方向を足の親指の骨に沿わせて機能性粘着テープ１Ｇを親指の先端から足の甲にかけて貼ることにより、外反母趾による親指の変形に対する抗力を生じさせることができ、併せてサポーター機能を兼ね備えさせる事が可能となり、ひいては外反母趾の予防や改善に役立てることができる。
【００２４】
機能性粘着テープの平面形状は図１〜図４に示した形状に限られず、テープを貼る場所、目的、用途に応じた形状とすることができる。例えば図４に示した機能性粘着テープ１Ｇでは、足の親指の周りに貼ることができるような形状とすることができる。
図１（ｂ）に示すパターニング、図２（ａ）、（ｂ）に示すパターニング、図３（ａ）〜（ｃ）に示すパターニングの伸縮調整材４を備える機能性粘着テープ１Ａ〜１Ｆは、図１（ａ）の機能性粘着テープ１と同様に、伸縮調整材４を、着色することができる。また、伸縮調整材４を、延性の異なる複数の樹脂により構成することできる。
【００２５】
以上、本発明の機能性粘着テープの実施形態を、図面を用いて説明したが、本発明の機能性粘着テープは、図面及び明細書に記載されているものに限定されず、本発明の趣旨を逸脱しない範囲で幾多の変形が可能であるは言うまでもない。
【符号の説明】
【００２６】
１、１Ａ〜１Ｆ  機能性粘着テープ
２  基材
３  粘着剤層
４  伸縮調整材
【要約】
【課題】スポーツ等に用いられる粘着テープについて、テープの伸縮についての機能性を付与し、また、その機能性付与のため工程が容易であり、機能性の調整が容易な粘着テープを提供する。
【解決手段】機能性粘着テープ１は、伸縮可能な布よりなる基材２と、該基材の一方の面に形成された粘着剤層３と、該基材の他方の面に選択的に形成され該基材の伸縮を部分的に規制する伸縮調整材４とを備える。
【選択図】図１【図１】
0005872657.tif 000002
【図２】
0005872657.tif 000003
【図３】
0005872657.tif 000004
【図４】
0005872657.tif 000005